(57)【要約】      （修正有）【課題】初学者や知的障害のある者であっても楽譜の音符が指定する特定の鍵盤の位置を容易かつ即座に把握することができて、鍵盤楽器の演奏方法の学習速度を高めることができる鍵盤楽器練習用シートを提供する。【解決手段】鍵盤楽器練習用シート１０は、複数枚のサブシート１Ａ、１Ｂ、・・・、１Ｘから構成され、該サブシート１Ａ等の表面には鍵盤楽器の鍵盤配列と同様の白鍵７１、７２、・・・、７７計７個、および黒鍵５１、５２、・・・、５５計５個からなるオクターブ列８１が一または複数表示されており、各サブシートまたは各オクターブ列８１がそれぞれ異なる単一色によって着色されている。【選択図】図１
0003173996.tif 000002
【実用新案登録請求の範囲】
【請求項１】
鍵盤楽器の演奏方法を学習する際に用いるための鍵盤楽器練習用シートであって、
該鍵盤楽器練習用シートは複数枚のサブシートから構成され、
該サブシートの表面には鍵盤楽器の鍵盤配列と同様の黒鍵以外の鍵（以下、「白鍵」という。）７個および黒鍵５個からなるオクターブ列が一または複数表示されており、
各オクターブ列はそれぞれ異なる単一色によって着色されていることを特徴とする、鍵盤楽器練習用シート。
【請求項２】
前記サブシートの裏面は吸着性の構造を備え、かかる構成により鍵盤楽器に繰り返し着脱可能であることを特徴とする、請求項１に記載の鍵盤楽器練習用シート。
【請求項３】
前記吸着性の構造は、前記サブシートの裏面に設けられた接着剤塗布層であることを特徴とする、請求項２に記載の鍵盤楽器練習用シート。
【請求項４】
前記サブシートの黒鍵には「ド♯／レ♭」等の音名表示が付されていることを特徴とする、請求項１ないし３のいずれかに記載の鍵盤楽器練習用シート。
【請求項５】
前記サブシートにはオクターブ列が一のみ表示されており、該サブシートは少なくとも七枚であることを特徴とする、請求項１ないし４のいずれかに記載の鍵盤楽器練習用シート。
【請求項６】
鍵盤楽器の演奏方法を学習する際に用いるための鍵盤楽器練習用シートであって、
該鍵盤楽器練習用シートの表面には鍵盤楽器の鍵盤配列と同様の黒鍵以外の鍵（以下、「白鍵」という。）７個および黒鍵５個からなるオクターブ列が複数表示されており、
各オクターブ列はそれぞれ異なる単一色によって着色されており、
そのままでまたは該オクターブ列に基づいて切り離して使用可能であることを特徴とする、鍵盤楽器練習用シート。
【請求項７】
前記鍵盤楽器練習用シートの裏面は吸着性の構造を備え、かかる構成により鍵盤楽器に繰り返し着脱可能であることを特徴とする、請求項６に記載の鍵盤楽器練習用シート。
【請求項８】
前記吸着性の構造は、前記鍵盤楽器練習用シートの裏面に設けられた接着剤塗布層であることを特徴とする、請求項７に記載の鍵盤楽器練習用シート。
【請求項９】
前記黒鍵には「ド♯／レ♭」等の音名表示が付されていることを特徴とする、請求項６ないし８のいずれかに記載の鍵盤楽器練習用シート。
【請求項１０】
請求項１ないし９のいずれかに記載の鍵盤楽器練習用シートと専用楽譜からなる鍵盤楽器練習支援セットであって、該専用楽譜は音符に着色が施されており、該着色には前記オクターブ列の着色に係る色が用いられていることを特徴とする、鍵盤楽器練習支援セット。
【考案の詳細な説明】
【技術分野】
【０００１】
本考案は鍵盤楽器練習用シートおよび鍵盤楽器練習支援セットに係り、特に、初学者や知的障害のある者であっても、楽譜の音符が指定する特定の鍵盤の位置を容易かつ即座に把握することができて、鍵盤楽器の演奏方法の学習速度を高めることができる、鍵盤楽器練習用シートおよび鍵盤楽器練習支援セットに関するものである。
【背景技術】
【０００２】
従来、ピアノ等の鍵盤楽器練習を補助・支援するための考案が複数なされている。たとえば後掲特許文献１は、楽譜を読む（読譜）練習にかかる労力と時間を軽減して演奏を楽しめるようにすることを目的として、ピアノ等鍵盤楽器の鍵盤を表した台紙と、鍵盤楽器の各鍵に対して自在に貼り剥がし可能な各鍵用の音符・音名（または階名）入りシートとからなる構成を開示している。白鍵用のシートとしてはト音記号表記およびヘ音記号表記の両方を備え、また黒鍵用のシートとしては♯系表記および♭系表記の両方を備えた構成としている。
【０００３】
なお特許文献２には、ピアノ等鍵盤楽器に着脱可能な、鍵盤楽器と同じ鍵の配列をもった練習器として、楽器本体の全鍵盤を跨ぐように置くことができ、外部設置の電気器具にて書き込まれた音符を信号として本練習器の該当する鍵に伝達し、それを光等によって表示することによって弾くべき楽器本体の鍵を指示する構成が開示されており、これによりピアノ等鍵盤楽器の練習や演奏が便利である旨述べられている。
【先行技術文献】
【特許文献】
【０００４】
【特許文献１】特開２０１１−４３７８１号公報「ピアノ等鍵盤楽器の鍵盤台紙付き音符・音名入り（または階名入り）読譜練習用貼り剥がし自在シート」
【特許文献２】登録実用新案第３０５２４９７号公報「着脱式弾き指誘導型ピアノ練習器」
【考案の概要】
【考案が解決しようとする課題】
【０００５】
さて、ピアノ等の鍵盤楽器の初学者にとっては、それが幼児等の低年齢層であるか大人であるかを問わず、楽譜に記載された音符が、低音領域から高音領域まで数オクターブにも亘って構成される音階領域の中のどの鍵を示すのかを読み取ることが困難であり、楽譜上の音符と特定鍵との対応関係を把握するには相当の期間を要する。これは初学者のみならず、たとえば知的障害のある者にとっても同様の問題である。
【０００６】
上記特許文献１開示技術は、かかる問題をも踏まえており、一定の解決手段を提案したものである。しかしこれは構成が複雑な上、使用する際も各鍵にシートを貼ったり剥がしたりする必要があって煩雑であり、使用者にとって決して使いやすいものではない。
【０００７】
またシートは一定以上の厚さがある上、鍵盤楽器の鍵とは異なる材質であるから異なる触覚を指に与えてしまい、さらに貼り剥がしの繰り返しにより接着剤の付着も発生するため、シートを各鍵に貼ることは好ましくない。なお、構成がかなり複雑な特許文献２開示技術はそもそも、かかる問題を解決する手段としては全く適するものではない。
【０００８】
本考案が解決しようとする課題は、これら従来技術の問題点を除き、初学者や知的障害のある者であっても楽譜の音符が指定する特定の鍵盤の位置を容易かつ即座に把握することができて、鍵盤楽器の演奏方法の学習速度を高めることができる、鍵盤楽器練習用シートおよび鍵盤楽器練習支援セットを提供することである。
【課題を解決するための手段】
【０００９】
本願考案者は上記課題について検討した結果、練習者の指が触れる鍵盤楽器の各鍵ではなく鍵盤蓋などに貼り剥がし可能なシートとし、かつオクターブ単位を基本としたシート構成とすること等によって当該課題を解決できることに想到し、本考案に至った。すなわち、上記課題を解決するための手段として本願で実用新案登録請求される考案、もしくは少なくとも開示される考案は、以下の通りである。
【００１０】
＜分割シートタイプの考案＞
（１）  鍵盤楽器の演奏方法を学習する際に用いるための鍵盤楽器練習用シートであって、
該鍵盤楽器練習用シートは複数枚のサブシートから構成され、
該サブシートの表面には鍵盤楽器の鍵盤配列と同様の黒鍵以外の鍵（以下、「白鍵」という。）７個および黒鍵５個からなるオクターブ列が一または複数表示されており、
各オクターブ列はそれぞれ異なる単一色によって着色されていることを特徴とする、鍵盤楽器練習用シート。
（２）  前記サブシートの裏面は吸着性の構造を備え、かかる構成により鍵盤楽器に繰り返し着脱可能であることを特徴とする、（１）に記載の鍵盤楽器練習用シート。
（３）  前記吸着性の構造は、前記サブシートの裏面に設けられた接着剤塗布層であることを特徴とする、（２）に記載の鍵盤楽器練習用シート。
（４）  前記サブシートの黒鍵には「ド♯／レ♭」等の音名表示が付されていることを特徴とする、（１）ないし（３）のいずれかに記載の鍵盤楽器練習用シート。
（５）  前記サブシートにはオクターブ列が一のみ表示されており、該サブシートは少なくとも七枚であることを特徴とする、（１）ないし（４）のいずれかに記載の鍵盤楽器練習用シート。
【００１１】
＜長尺シートタイプの考案＞
（６）  鍵盤楽器の演奏方法を学習する際に用いるための鍵盤楽器練習用シートであって、
該鍵盤楽器練習用シートの表面には鍵盤楽器の鍵盤配列と同様の黒鍵以外の鍵（以下、「白鍵」という。）７個および黒鍵５個からなるオクターブ列が複数表示されており、
各オクターブ列はそれぞれ異なる単一色によって着色されており、
そのままでまたは該オクターブ列に基づいて切り離して使用可能であることを特徴とする、鍵盤楽器練習用シート。
（７）  前記鍵盤楽器練習用シートの裏面は吸着性の構造を備え、かかる構成により鍵盤楽器に繰り返し着脱可能であることを特徴とする、（６）に記載の鍵盤楽器練習用シート。
（８）  前記吸着性の構造は、前記鍵盤楽器練習用シートの裏面に設けられた接着剤塗布層であることを特徴とする、（７）に記載の鍵盤楽器練習用シート。
（９）  前記黒鍵には「ド♯／レ♭」等の音名表示が付されていることを特徴とする、（６）ないし（８）のいずれかに記載の鍵盤楽器練習用シート。
【００１２】
＜楽譜と合わせたセットの考案＞
（１０）  （１）ないし（９）のいずれかに記載の鍵盤楽器練習用シートと専用楽譜からなる鍵盤楽器練習支援セットであって、該専用楽譜は音符に着色が施されており、該着色には前記オクターブ列の着色に係る色が用いられていることを特徴とする、鍵盤楽器練習支援セット。
【考案の効果】
【００１３】
本考案の鍵盤楽器練習用シートおよび鍵盤楽器練習支援セットは上述のように構成されるため、これによれば、初学者や知的障害のある者であっても楽譜の音符が指定する特定の鍵盤の位置を容易かつ即座に把握することができ、それによって鍵盤楽器の演奏方法の学習速度を高めることができる。
【００１４】
さらに本考案鍵盤楽器練習用シートによれば、特許文献１開示技術のように鍵にシートを貼る必要がないため、貼り剥がしの繰り返しによる接着剤の鍵への付着が発生せず、鍵自体の感触を何ら損なうことがなく、微妙な指先の感覚をも尊重された良好な状況で、練習者はより高質なレベルでの鍵盤楽器練習を行うことができる。
【００１５】
なお、以下においては主としてピアノを想定した説明を行うが、本考案の適用対象である鍵盤楽器はピアノに限定されず、電子ピアノ、電子オルガン、シンセサイザー、鍵盤ハーモニカなど、西洋音階に基づくものである限り、あらゆる鍵盤楽器を適用対象とすることができる。
【図面の簡単な説明】
【００１６】
【図１】本考案の鍵盤楽器練習用シートの基本構成を示す説明図である。
【図２】本考案の鍵盤楽器練習用シートに係るサブシートの別の構成例を示す説明図である。
【図３】本考案の鍵盤楽器練習用シートに係るサブシートの断面構成例を示す断面視説明図である。
【図４】本考案の鍵盤楽器練習用シートに係る音名表示付きサブシートの構成を示す説明図である。
【図５】本考案の鍵盤楽器練習支援セットの基本構成を示す説明図である。
【図６】本考案の鍵盤楽器練習支援セットを構成する専用楽譜の例の要部を示す写真である。
【図７】本考案の鍵盤楽器練習支援セット実施例について、使用例を示す写真である。
【考案を実施するための形態】
【００１７】
以下、図面を用いて本考案を詳細に説明する。
＜分割シートタイプ＞
図１は、本考案の鍵盤楽器練習用シートの基本構成を示す説明図である。図示するように本鍵盤楽器練習用シート１０は、鍵盤楽器の演奏方法を学習する際に用いるためのものであって、複数枚のサブシート１Ａ、１Ｂ、・・・、１Ｘから構成され、該サブシート１Ａ等の表面には鍵盤楽器の鍵盤配列と同様の黒鍵以外の鍵（白鍵。）７１、７２、・・・、７７計７個、および黒鍵５１、５２、・・・、５５計５個からなるオクターブ列８１が一または複数表示されており、各サブシート１Ａ等または各オクターブ列８１等がそれぞれ異なる単一色によって着色されていることを、主たる構成とする。
【００１８】
本鍵盤楽器練習用シート１０は、これを構成する各サブシート１Ａ等が鍵盤楽器の鍵盤以外の箇所、つまり、鍵盤蓋や前パネルなど練習者が視認しやすい鍵盤近傍に一時的に固定して用いられる。一時的な固定の方法としてはたとえば、後述するように、各サブシート１Ａ等の裏面を貼り剥がしの容易な吸着性の構造として、当該裏面を鍵盤楽器の鍵盤蓋等に吸着させる方法を好適に用いることができる（後掲図３参照）。もちろんそれ以外の方法、たとえば片面接着テープや両面接着テープを用いてその都度鍵盤蓋等に貼り剥がしを行うことで一時的な固定とする方法などであっても、本考案の範囲内である。
【００１９】
かかる構成により、すなわち各サブシート１Ａ等または各オクターブ列８１等がそれぞれ異なる単一色によって着色されているという本考案の構成により、音符が特定の方法にて着色された専用楽譜（後述。図５参照）と併せ用いることで、楽譜の音符が指定する鍵盤楽器上の特定の鍵盤の位置を、容易かつ即座に把握することができる。つまり、専用楽譜の音符の着色を、各サブシート１Ａ等または各オクターブ列８１等の着色と対応させたものとすることにより、かかる作用効果を実現できる。
【００２０】
このことを、各サブシート１Ａ等が一のオクターブ列８１から構成されるという、最も基本的かつ実用的な例において、さらに説明する。
本鍵盤楽器練習用シート１０を構成する各サブシート１Ａ等は、各オクターブの高低を表すための色（単一色）によって着色されており、また専用楽譜の各音符に付された色は、弾くべき特定の鍵が属するオクターブに対応した色であり、各サブシート１Ａ等の色と同じ色構成である。
【００２１】
練習者は、各サブシート１Ａ等を音の高低順となるように鍵盤楽器上の鍵盤位置に合わせて鍵盤蓋等に固定し、かつ専用楽譜を掲示して練習に臨む。
そして、上述した所定の色構成を備えた各サブシート１Ａ等からなる本鍵盤楽器練習用シート１０により媒介されて、専用楽譜の音符が指定する鍵盤を容易に特定することができ、鍵盤楽器演奏方法の学習速度を、容易に高めることができる。初学者や知的障害のある者であっても、容易に演奏方法の学習速度を高めることができる。
【００２２】
さらに本考案鍵盤楽器練習用シートによれば、特許文献１開示技術のように鍵にシートを貼る必要がないため、貼り剥がしの繰り返しによる接着剤の鍵への付着が発生せず、鍵自体の感触を何ら損なうことがなく、微妙な指先の感覚をも尊重された良好な状況で、練習者はより高質なレベルでの鍵盤楽器練習を行うことができる。
【００２３】
なお、図ではサブシート１Ａ等は３枚を超えて備えられているように示されているが、サブシートが２枚、または３枚であっても本考案の範囲内である。また図において、各サブシート１Ａ等または各オクターブ列８１等における着色はグレースケールで示されているが（後掲各図も同様）、色相を付したものも本考案の範囲内であることはいうまでもない。むしろ各サブシート１Ａ等または各オクターブ列８１等は、色相を含めて相違する色として構成するのが、本考案の目的上より望ましい。
【００２４】
ところで、各オクターブ列８１等を色分けにより構成する場合、パステルカラー調、その他どのような色の組み合わせであっても本考案の範囲内である。しかしながら、色彩が生ぜしめる感覚の観点、認識しやすさの観点、練習における便宜性の観点などから、特定の色の組み合わせを用いることもまた、有意義である。
【００２５】
たとえばピアノの場合は、７オクターブ分を用意すればよいが、低音域から高音域への各オクターブ列の色分けを、寒色系〜中間色系〜暖色系とする構成が考えられる。具体的には、紫−青−水色−緑−黄色−橙色−赤  などである。あるいはまた、虹の７色を用いてもよい。
【００２６】
また、本考案鍵盤楽器練習用シートが、後述する専用楽譜との併用によって最大限にその効果を発揮するものであることから、練習者や教授者が既成の楽譜上に自前で色分けを施すことによって専用楽譜を作成する場合には、筆記用具として提供されている色に合わせて各オクターブ列の色構成を決定することとしてもよい。たとえば用いる色を標準的な１２色の色鉛筆の色構成とすれば、既成の楽譜に着色して専用楽譜を作成する場合にも便利である。
【００２７】
図２は、本考案の鍵盤楽器練習用シートに係るサブシートの別の構成例を示す説明図である。図に例示するように本鍵盤楽器練習用シートでは、一枚のサブシート２１Ａに複数のオクターブ列２８１、２８２、・・・を設けた構成としてもよい。もっともこの場合でも、オクターブ列２８１、２８２、・・・はそれぞれ異なる単一色が付されていることとする。なお、全てのオクターブ列を一枚のシートに設ける構成も、もちろん本考案の範囲内であり、これについては長尺シートタイプとして、後にも言及する。
【００２８】
本鍵盤楽器練習用シートでは、サブシートの裏面は吸着性の構造を備えたものとすることができる。かかる構成によれば、サブシートを鍵盤楽器に繰り返し着脱可能であり、便利である。吸着性の構造の具体例としては、剥離容易（貼り剥がし自在）の接着剤を用いることができるが、本考案はこれに限定されず、たとえば吸盤を用いたり、あるいはすき間のない平滑な面構造とすることによって、吸着性の構造とすることもできる。
【００２９】
図３は、本考案の鍵盤楽器練習用シートに係るサブシートについて、断面構成例を示す断面視説明図である。図示するように、サブシート３１Ａの裏面に設けられた接着剤塗布層３６をもって前記吸着性の構造として機能せしめることができる。なおシート本体３３の材質は紙、合成樹脂、ゴム、布、その他繰り返しの固定・除去に耐えるものであれば、いかなる材質でもよい。また接着剤塗布層の材質も、従来公知のものを適宜用いることができる。
【００３０】
図４は、本考案の鍵盤楽器練習用シートに係る音名表示付きサブシートの構成を示す説明図である。図示するように本鍵盤楽器練習用シートでは、サブシートの黒鍵４５１、４５２、・・・に「ド♯／レ♭」等の音名表示Ｓ１、Ｓ２、・・・が付された構成とすることができる。かかる構成は、特に初心者等の練習に便利である。
【００３１】
なお、一枚のサブシートに複数のオクターブ列が設けられてもよい旨は上述したが、実際の利用ではオクターブ列ごとに一枚のサブシートとする構成、または全てのオクターブ列を一枚のシートに設ける構成（後述）のいずれかとする方が簡明であり、練習に使用する上でも便利である。
【００３２】
＜長尺シートタイプ＞
これは、全てのオクターブ列を一枚のシートに設けたタイプの、鍵盤楽器練習用シートである（図示せず）。かかる構成により本タイプは、そのままで使用してもよいし、また、オクターブ列に基づいて切り離して使用してもよい。その他の構成・作用効果は、各オクターブ列にはそれぞれ異なる単一色が付されるものとすることを初めとして、上述した分割シートタイプと基本的に共通する。
【００３３】
＜楽譜と合わせたセット＞
図５は、本考案の鍵盤楽器練習支援セットの基本構成を示す説明図である。図示するように本鍵盤楽器練習支援セット５００は、上述したいずれかの鍵盤楽器練習用シート５１０と専用楽譜５９からなり、専用楽譜５９は音符に着色が施されており、着色にはオクターブ列の着色に係る色が用いられていることを、特徴的な構成とする。このように鍵盤楽器練習用シート５１０と専用楽譜５９とをセットで使用することにより、練習効果を最大限に発揮せしめることができる。なお、図では鍵盤楽器練習用シート５１０として分割シートタイプが示されているが、長尺シートタイプでももちろんよい。
【実施例】
【００３４】
以下、本考案の実施例を説明するが、本考案がこの実施例に限定されるものではない。
＜実施例＞
図６は、本考案の鍵盤楽器練習支援セットを構成する専用楽譜の例の要部を示す写真である。また、
図７は、本考案の鍵盤楽器練習支援セット実施例について、ピアノ練習における使用例を示す写真である。このように鍵盤楽器練習用シートと専用楽譜とをセットで使用することにより、練習効果を最大限に発揮せしめることができる。
【産業上の利用可能性】
【００３５】
本考案の鍵盤楽器練習用シートおよび鍵盤楽器練習支援セットによれば、ピアノを初めとする鍵盤楽器の練習において、初学者や知的障害のある者であっても楽譜の音符が指定する特定の鍵盤の位置を容易かつ即座に把握することができ、鍵盤楽器の演奏方法の学習速度を高めることができる。しかも鍵自体の感触を何ら損なわずに微妙な指先の感覚をも尊重された良好な状況での練習が可能である。したがって、音楽教授に関連する産業分野において利用性が高い考案である。
【符号の説明】
【００３６】
１０、５１０…鍵盤楽器練習用シート
１Ａ、１Ｂ、１Ｘ、２１Ａ、３１Ａ…サブシート
３３…シート本体
３６…接着剤塗布層
５１、５２、５３、５４、５５、４５１、４５２、４５３、４５４、４５５…黒鍵
５９…専用楽譜
５００…鍵盤楽器練習支援セット
７１、７２、７３、７４、７５、７６、７７、４７１、４７２、４７３、４７４、４７５、４７６、４７７…白鍵
８１、２８１、２８２…オクターブ列
Ｓ１、Ｓ２、Ｓ３、Ｓ４、Ｓ５・・・音名表示（黒鍵の）
【図３】
0003173996.tif 000003
【図１】
0003173996.tif 000004
【図２】
0003173996.tif 000005
【図４】
0003173996.tif 000006
【図５】
0003173996.tif 000007
【図６】
0003173996.tif 000008
【図７】
0003173996.tif 000009